(57)【要約】【課題】  塗布の強弱操作を使い分けることにより、塗布の強弱操作で薬液の塗布感作用が異なり、塗布強弱別々の糊液厚さに塗れる塗布具を提供すること。【解決手段】  内部に塗布液収容室を設けた容器の開口部前方に、円形の塗布部を先端に有する塗布先を取り付けた塗布具において、多数の分散した突起を塗布先の表面に配置したり、多数の分散した突起を塗布先の後方に配置したり、多数の分散した突起を出没するように配置した塗布具。【選択図】  図１
2006123305.tif 000002
【特許請求の範囲】
【請求項１】
内部に塗布液収容室を設けた容器の開口部の前方に、塗布部を有する塗布先を取り付けた塗布具において、前記塗布部に複数の突起を分散させて設けたことを特徴とする塗布具。
【請求項２】
前記複数の突部を塗布先の先端部分に設けたことを特徴とする請求項１記載の塗布具。
【請求項３】
前記複数の突起を塗布先の内部に設けたことを特徴とする請求項１、或いは、請求項２に記載の塗布具。
【請求項４】
前記複数の突起を塗布先の先端に出没可能に設けたことを特徴とする請求項１、或いは、請求項２に記載の塗布具。
【請求項５】
前記突起を大突起と小突起から形成したことを特徴とする請求項１〜請求項４の何れかに記載の塗布具。
【請求項６】
前記塗布液収容室と塗布先との間に弁機構を配置したことを特徴とする請求項１〜請求項５の何れかに記載の塗布具。
【発明の詳細な説明】
【技術分野】
【０００１】
本発明は、塗料や絵の具、インキ、修正液、糊、接着剤、化粧液、薬液、補修剤、コーティング剤などの塗布液を内蔵する塗布具に関する。
【背景技術】
【０００２】
内部に塗布液収容室を設けた容器の開口部前方に、塗布部を有する塗布先部材を取り付け、塗布先部材の周囲に多数の突起が出没するようにした塗布具として、特開平９−２０１４１９号公報が知られている。
その特開平９−２０１４１９号公報の塗布具は、スクイズ性容器体１の口部２に、該容器体内の液体を滲出させる塗布頭４を備えた塗布容器で、この塗布頭４周囲に、三角波状の掻き爪６をなす円筒体の掻き具５を出没自在に螺装させている。また、塗布頭４の内部に押圧で開弁する弁を有しても良いとしている。
【特許文献１】特開平９−２０１４１９号公報「掻き具付き塗布容器」。
【発明の開示】
【発明が解決しようとする課題】
【０００３】
内蔵する塗布液が虫さされ薬のような薬液で、その薬液を患部に塗布する場合には、皮膚の炎症部に塗布先を軽く労るように押し付けて塗布したり、皮膚の炎症部に塗布先を強く押し付けて、この塗布先の押し付け力の刺激で痒みを低減させるように塗布したりと、皮膚への塗布先の押し付けの強弱を使い分けたいことがある。
また、内蔵する塗布液がポリビニールアルコールを主成分とする合成糊液で、前記塗布具を紙等の接着に用いる場合で、この塗布具を狭い面に塗布する場合は、薄めに塗布する。また、この塗布具を広い面に塗布する場合は、塗布作業中に先に塗布した糊が乾燥しないように厚めに塗布したり、線塗りで五線譜のように厚く塗布された箇所と薄く塗布された箇所とが平行するような塗り方（斑塗り）というふうに、薄塗りと厚塗り（又は斑塗り）を使い分けたいこともがある。
しかるに、従来の円形の塗布部周囲に、出没する突起を設けた塗布具での薬液塗布では、突起を没した状態で、軽く塗るには良い。けれど、突起を出した状態での、蚊にさされた後の痒みのある患部に、痒みを低減するために強く塗布先を押し付けて刺激を伴う塗布をしようとしても、塗布支障があった。つまり、薬液が滲出する塗布部位置と塗布部周囲の突起との位置が離れているため、薬液塗布と痒み低減刺激とを別々の部位で行わなければならず、同位置で薬液塗布と痒み低減刺激を同時に行うことが出来ないものであった。
さらに、従来の円形の塗布部周囲に、出没する突起を設けた塗布具での糊塗布では、突起を没した状態で、薄塗りするには良い。しかし、突起を没した状態での厚塗りでは、スクイズ性容器を強く押して糊液を多く吐出させようとすると、容器を押し過ぎて糊液が多く出過ぎてしまうことがある。また、突起を出した状態での厚塗りでは、容器を塗布面に垂直に当て、突起全てが塗布面に接触するようにしないと、塗布厚さを均等にすることが困難であった。この、垂直塗布操作は、一般的な少し傾斜させて塗布操作する方法に比べて、塗布操作がし難いものであった。
そこで、本発明は、塗布部を塗布面へ押し当てる強弱操作、即ち、押し付け力を使い分けることにより、薬液では塗布タッチの強弱で塗布感作用が異なり、糊液では塗布タッチの強弱で塗布液厚さを調整することが出来る塗布具を提供することを課題とする。
【課題を解決するための手段】
【０００４】
本発明は、内部に塗布液収容室を設けた容器の開口部前方に、円形の塗布部を先端に有する塗布先を取り付けた塗布具において、多数の分散した突起を塗布先の表面に配置したり、多数の分散した突起を塗布先の後方に配置したり、多数の分散した突起を出没するように配置したりすることを要旨とする。
【発明の効果】
【０００５】
本発明は、内部に塗布液収容室を設けた容器の開口部前方に、円形の塗布部を先端に有する塗布先を取り付けた塗布具において、多数の分散した突起を塗布先の表面に配置したり、多数の分散した突起を塗布先の後方に配置したり、多数の分散した突起を出没するように配置したりしているので、塗布の強弱を使い分けることにより、薬液を収納した塗布具では塗布タッチの強弱で塗布感作用が異なり、糊液を収納した塗布具では塗布タッチ強弱に応じて厚く又は薄く塗ることが出来る塗布具を提供できる。
【発明を実施するための最良の形態】
【０００６】
以下、本発明について添付図面を参照しながら、更に詳細に説明する。図１、図２に第一実施例を示す。図１は要部を断面にした正面図を示し、図２は図１のキャップ６を除いた上面図を示す。
参照符号１は、可撓性材料である熱可塑性樹脂のポリプロピレン樹脂材で形成した先端が開口した容器である。この容器１の内部は塗布液収容室となっており、その容器１の先端は略円筒状の開口部となっている。この開口部外周には、雄ねじ部を設けている。
容器１の前方には熱可塑性樹脂のポリプロピレン樹脂材で形成した、全体が略有底筒状の前軸２を嵌め合わせている。その前軸２は、容器１の開口部内面に圧接して挿入される筒状の基部２ａと、基部２ａ先端には中心が開口した薄肉の天部２ｂを設けている。
また、前軸２の前方には、熱可塑性樹脂の低密度ポリエチレン樹脂材粒子を焼結させて形成した連通気孔状の塗布先３を設けている。その塗布先３の前方には、多数の大小の突起３ａが分散するように設けている。即ち、塗布先３の突起３ａと、突起３ａ間の底部とで塗布部３ｂとなしている。
前軸２の前方は、塗布先３を前軸２に固定するための環状の結合環４を設けているが、その結合環４は塗布先３の外周囲を覆うように設けている。その結合環４は、熱可塑性樹脂のポリプロピレン樹脂材で形成している。
前記前軸２の天部２ｂの中心から基部２ａ後端にかけて、バネ機能を有する熱可塑性樹脂のポリプロピレン樹脂材で形成したバネ弁５を設けている。バネ弁５は、前方から後方に向け、有底筒状の先部５ａと、漏斗状に広がるような螺旋状のバネ部５ｂと、筒状の後部５ｃとを設けている。バネ弁５は、後部５ｃ外周に設けた凸リブと、前記前軸２の基部２ａ後方内面に設けた周溝とで、前記前軸２に嵌め合い結合させている。
また、前軸２の天部２ｂの中心開口の後端と、バネ弁５の先部５ａの前後途中の段部が、バネ弁５のバネ部５ｂにより圧接され、弁機構となしている。ちなみに、バネ弁５の先部５ａの先端は、前軸２の天部２ｂの中心開口先端より、少し突出するように設けている。
参照符号６は前記容器１と螺合脱着が容易な有底筒状のキャップであり、熱可塑性樹脂のポリプロピレン樹脂材の略透明グレード材で形成したものである。そのキャップ５の内面後方には雌ねじ部を設けている。勿論、そのキャップ５は、塗布先３を保護し、塗布具保管中に塗布先３に付着した塗布液の乾燥を防ぐものである。
尚、本実施例では、容器１は可撓性材料で形成されており、容器1を保持した手の押圧調整で、塗布液の吐出量を調整できるようにしているが、他の吐出構造、例えば、容器後方にポンプ機構を設けて内部加圧構造にしたり、硬質容器にして加圧気体を封入した内部加圧構造を用いても良いものである。
【０００７】
本実施例の塗布先３を含む全ての部材は、熱可塑性樹脂や合成ゴムといった合成材を意図している。ここで用いる材料は、塗布具の油性・水性等の内蔵液特性や、外観の質感見栄え・透明材などの使用目的に応じて採用すれば良いものである。
例えば、熱可塑性樹脂の単一樹脂材料では、アクリロニトリル・スチレン樹脂、アクリロニトリル・ブタジエン・スチレン樹脂、ポリ塩化ビニル樹脂、ポリアセタール樹脂、ポリアミド樹脂類（ＰＡ６・ＰＡ６６・ＰＡ６１０・ＰＡ１１・ＰＡ１２）、ポリアリレート樹脂、熱可塑性エラストマー類（ウレタン系・オレフィン系・スチレン系・ポリアミド系・ポリエステル系・ニトリル系）、ポリエーテルエーテルケトン、ポリサルホン樹脂、低密度ポリエチレン、高密度ポリエチレン、直鎖状低密度ポリエチレン、ポリエチレンテレフタレート、ポリカーボネート樹脂、ポリスチレン樹脂、ポリフェニレンエーテル樹脂、ポリフェニレンサルファイド樹脂、ポリブタジェン樹脂、ポリブチレンテレフタレート樹脂、ポリエチレンナフタレート樹脂、ポリプロピレン樹脂、メタクリル樹脂などが挙げられる。又、耐熱性、耐寒性、耐衝撃性などを向上する目的で、これら各種樹脂材料を混合したポリマーアロイ材料を用いたり、各添加剤による特性を改質することもできる。さらに、一旦市場で使われた製品を成形材料毎に分別され、再生されたリサイクル成形材料や、材料メーカーでの規格外の成形材料（オフグレード）を用いることもできる。
特に、塗布先３は、連通気孔状で軟質な材料であれば良く、ウレタンフォームや、無垢体の軟質材を、多数の微細な穿孔加工で形成しても良いものである。軟質材では、前記の各種エラストマー材や、合成ゴムがある。合成ゴムでは、ジエン系合成ゴムであるブタジェンゴム、ポリイソプレン、クロロプレンゴム、ニトリルゴムや、非ジエン系合成ゴムであるブチルゴム、エチレンプロピレンゴム、ウレタンゴム、クロロスルホン化ポリエチレン、アクリルゴム、フッ素ゴムや、その他ゴムではシリコンゴム、塩素化ポリエチレン、エピクロロヒドリン、多硫化ゴム等が挙げられる。
また、薬液用塗布具等の雑菌の繁殖を嫌う塗布具に用いる塗布先３などの個々の部材には、抗菌剤を予め練り込んだ材料を用いて成形することもできる。抗菌剤には、有機物系のものと無機物系のものとがあるが、有機物より無機物の方が好ましく、無機系の物質としては、銀・銅・亜鉛・酸化銅などや、これらの物質を酸化珪素、炭酸カルシウムなどの無機微粒子に吸着固定させたものなどが挙げられる。ちなみに、市販の抗菌剤では、アバタイザーＡＷ(（株）サンギ製)、ゼオミック（品川燃料（株）製）などが挙げられる。
【０００８】
作用について説明する。
前記実施例で、薬液を軽く塗布する場合には、塗布先３の突起３ａが皮膚の炎症部に軽く接触する。同時に、塗布先３を介して、バネ弁５の先部５ａが後方に押し下げられて、弁機構が開弁し内蔵の薬液が滲出する。その結果、傷ついた患部には塗布時の痛みが伴わないように軽く・優しく薬液を塗布できる。
次に、塗布先３を強く患部に押し付けると、突起３ａの各先端が個々に離れた状態で押し当てられると同時に、塗布先３を介して、バネ弁５の先部５ａが後方に押し下げられて、弁機構が開弁し内蔵の薬液が滲出する。塗布先３の先端に着目すると、塗布先３の突起３ａ間には皮膚の隆起が生じる。このように、突起３ａの多数の先端が点状に離間して皮膚に押し当てられるので、皮膚表面には、押し当てられて圧縮される箇所と、押し当て間に生じる隆起による伸ばされた箇所が生じ、同時に容器からの薬液が皮膚表面に供給されることになる。この状態で塗布先３を皮膚上で移動させると、皮膚の圧縮箇所と伸び箇所が逆転したりする。
ここで、虫さされ患部でみると、皮膚の圧縮箇所では弱い痛み感で刺激してかゆみ感を緩和し、皮膚の伸ばされた箇所では、細胞や毛根の拡張により薬液の吸収が促進される。つまり、患部に対して、かゆみ感の緩和と、薬液の沁み込みを早くすることを同時に果たすこととなり、薬効性を早めうるものである。
このように、軽い塗布タッチでは傷ついた患部への塗布時の痛みが伴わないように軽く・優しく塗布でき、強い塗布タッチでは患部へのかゆみ感緩和と薬効性を早めることができるものである。
【０００９】
図３に第二実施例を示し、要部正面の断面図を示す。
容器１、並びに、結合環４、バネ弁５、キャップ６は第一実施例と同一である。容器１前方には、全体が略有底筒状の前軸１２を嵌め合わせている。その前軸１２の基部１２ａは第一実施例と同一である。その基部１２ａ先端には中心が開口した薄肉の天部１２ｂを設けている。その天部１２ｂの前方には、多数の略同形の突起１２ｃが分散するように設けている。
前記前軸１２の前方には、連通気孔状で軟質な塗布先１３を設けている。その塗布先１３の表面は平滑な塗布部１３ｂとなしている。
作用について説明する。薬液を軽く塗布する場合は、塗布先１３の塗布部１３ａの平滑な面で患部に接触し、第一実施例より、さらに優しく塗布できる。突起１２ｃを塗布先１３の後方に設けているためである。尚、塗布先１３を強く患部に押し付けると、その塗布先１３を介して、前軸１２の突起１２ｃの各先端が個々に離れた状態で患部に押し当てられ、第一実施例と同様の塗布作用を果たすものである。
他の例として、糊液を内蔵した塗布具を紙同士の接着に用いる場合には、塗布先１３を軽く紙面に押し付けると、塗布先１３の塗布部１３ｂが軽く接触すると同時に、塗布先１３を介して、バネ弁５の先部５ａが後方に押し下げられて、弁機構が開弁し内蔵の糊液が吐出する。その結果、紙面の狭い部位には、糊液を薄めに塗布することができる。また、塗布先１３を強く紙面に押し付けると、塗布先１３を介して、前軸１２の突起１２ｃの各先端が個々に離れた状態で紙面に押し当てられ、紙面と塗布先１３の接触隙間が、突起１２ｃ有無で隙間の狭い部位と隙間の広い部位とが混在した接触状態となる。この隙間の大小が、糊液の塗布厚さ斑となり、広い面に塗布しても、先に塗布した部位が乾燥することもない。さらに、塗布具を一般的な少し傾斜させた塗布操作でも、支障なく均等な厚さに塗布することが出来るものである。
【００１０】
図４〜図６に第三実施例を示す。図４は要部正面の断面図を示し、図５は図４のキャップ２６を除いた上面図を示し、図６は図４のキャップ２６を除いて突起２７ｃが突出した状態図を示す。
参照符号２１は、第一実施例と略同様の容器であるが、第一実施例との差異は、容器２１開口部の周囲に全周状の凸リブを前後に２本設けている点にある。
容器２１の前方には、外形が筒状の前軸２２を嵌め合わせている。その前軸２２は、容器２１の開口部の内面に圧接して挿入される筒状の基部２２ａと、第一実施例のバネ弁５のバネ部５ｂに略相当するバネ部２２ｄと、第一実施例のバネ弁５の先部５ａに略相当する先部２２ｅとを設けている。前記基部２２ａの外周前方には、前後に伸びる縦リブ２２ｆを設けている。
前記前軸２２の前方外側には、略有底筒状の塗布先２３を設けている。その塗布先２３の先端は中心が開口し、先端周囲には多数の穴が分散した貫通穴２３ａを設けている。また、塗布先２３の筒部の後方内面には、周溝を設け、前記容器２１の前方リブと嵌め合わせている。一方、塗布先２３の筒部の前方内面には、全周で軸心に向け突出する波状の波リブを前後に３本設けている。塗布先２３の中心開口には、前記前軸２２の先部２２ｅを挿通させ、かつ、突出させるように設けている。
さらに、塗布先２３の後方には、略有底筒状の前後動体２７を設けている。前後動体２７は、筒状の筒２７ａと薄板状の天部２７ｂとから構成されている。その前後動体２７の天部２７ｂの前方には、前記塗布先２３の多数の貫通穴２３ａを挿通するように、多数の突起２７ｃを設けている。尚、前後動体２７の筒２７ａ外周前方には、全周溝を設けている。
塗布先２３内には、環状の前後動環２８を設けている。その前後動環２８は、前記前後動体２７の筒２７ａ外側に設けてもいる。また、前後動環２８の前方内側は軸心に向け突出し、前記前後動体２７の筒２７ａの全周溝と嵌め合わせている。また、前後動環２８の外周には、全周に亘って点在する多数の突起を設け、前記塗布先２３の波リブと係合させている。さらに、前後動環２８の内面には、前記前軸２２の基部２２ａ前方外周に設けた縦リブと噛み合う縦リブを設けている。
尚、前記前後動体２７と前後動環２８は、一体部材として設けても良いものである。
作用について説明する。キャップ２６を容器２１の逆方向に引き抜いた後、塗布先２３の軸を中心にして回すと、前後動環２８を介して、前記前後動体２７が出没する。その結果、塗布先２３表面から、前後動体２７の多数の突起２７ｃが出没する。
前後動体２７の多数の突起２７ｃが塗布先２３に没している状態で薬液を軽く塗布する場合は、第二実施例と同様に優しく塗布できる。また、前後動体２７の多数の突起２７ｃが塗布先２３から突出している状態で強く塗布すると、第一実施例と同様の塗布作用を果たすものである。
また、前後動体２７の多数の突起２７ｃが塗布先２３に没している状態で、糊液を内蔵した塗布具を紙同士の接着に軽く塗布する場合には、第二実施例と同様、糊液を薄めに塗布することができる。また、前後動体２７の多数の突起２７ｃが塗布先２３から突出している状態で強く塗布すると、第二実施例と同様、均等な厚さに塗布することが出来る。
このように、強弱の塗布操作にあわせて、突起２７ｃの出没状態を事前に調整することができるものである。
【図面の簡単な説明】
【００１１】
【図１】第一実施例の正面図。
【図２】図１のキャップ６を除いた上面図。
【図３】第二実施例の要部正面図。
【図４】第三実施例の要部正面図。
【図５】図４のキャップ２６を除いた上面図。
【図６】図４の突起２７ｃが突出した状態図。
【符号の説明】
【００１２】
１，２１                            容器
２、１２、２２                      前軸
２ａ、１２ａ、２２ａ                基部
２ｂ、１２ｂ                        天部
１２ｃ                              突起
２２ｄ                              バネ部
２２ｅ                              先部
２２ｆ                              縦リブ
３、１３、２３                      塗布先
３ａ                                突起
３ｂ、１３ｂ、２３ｂ                塗布部
２３ｃ                              貫通穴
４                                  結合環
５                                  バネ弁
５ａ                                先部
５ｂ                                バネ部
５ｃ                                後部
６、２６                            キャップ
２７                                前後動体
２７ａ                              筒
２７ｂ                              天部
２７ｃ                              突起
２８                                前後動環
【図１】
2006123305.tif 000003
【図２】
2006123305.tif 000004
【図３】
2006123305.tif 000005
【図４】
2006123305.tif 000006
【図５】
2006123305.tif 000007
【図６】
2006123305.tif 000008